(57)【要約】【課題】ホルダに保持されたブリスタパックに収容された内容物の属性情報を簡易に識別する。【解決手段】ホルダ１０は、ブリスタパック４００を保持可能である。ホルダ１０は、第１検出子１４２を含んでいる。ブリスタパック４００は、第１識別部４４２を含んでいる。第１識別部４４２は、ブリスタパック４００に収容された内容物の属性情報の少なくとも一部を示すためのものである。第１検出子１４２は、ホルダ１０へのブリスタパック４００の装着以後の期間の少なくとも一部において第１識別部４４２を検出可能である。【選択図】図９
2020039602.tif 000002
【特許請求の範囲】
【請求項１】
ブリスタパックを保持可能なホルダであって、
第１検出子を含み、
前記ブリスタパックは、前記ブリスタパックに収容された内容物の属性情報の少なくとも一部を示すための第１識別部を含み、
前記第１検出子は、前記ホルダへの前記ブリスタパックの装着以後の期間の少なくとも一部において前記第１識別部を検出可能である、ホルダ。
【請求項２】
請求項１に記載のホルダにおいて、
第２検出子をさらに含み、
前記ブリスタパックは、前記内容物の前記属性情報の少なくとも一部を示すための第２識別部をさらに含み、
前記内容物の前記属性情報は、前記第１識別部によって示される情報及び前記第２識別部によって示される情報の組み合わせに応じて異なる情報を呈し、
前記第２検出子は、前記期間の少なくとも一部において前記第２識別部を検出可能である、ホルダ。
【請求項３】
請求項１又は２に記載のホルダにおいて、
前記第１識別部は、前記ブリスタパックの一部分の欠如を含み、
前記第１検出子は、前記期間の少なくとも一部において前記第１識別部の前記欠如を検出可能である、ホルダ。
【請求項４】
請求項３に記載のホルダにおいて、
前記第１検出子は、前記期間の少なくとも一部において前記第１識別部の前記欠如と重なる接触センサである、ホルダ。
【請求項５】
請求項３に記載のホルダにおいて、
前記第１検出子は、前記期間の少なくとも一部において前記第１識別部の前記欠如と重なる照度センサである、ホルダ。
【請求項６】
請求項１又は２に記載のホルダにおいて、
前記第１識別部は、磁石を含み、
前記第１検出子は、前記期間の少なくとも一部において前記第１識別部の前記磁石を検出可能である、ホルダ。
【請求項７】
請求項１又は２に記載のホルダにおいて、
前記第１識別部は、色を有するマーカを含み、
前記第１検出子は、前記期間の少なくとも一部において前記第１識別部の前記マーカの前記色を検出可能である、ホルダ。
【請求項８】
請求項１から７までのいずれか一項に記載のホルダにおいて、
前記ブリスタパックは、前記内容物を収容するための収容部と、前記収容部の外側に位置する第１縁と、を有し、
前記第１識別部は、前記第１縁と前記収容部の間、前記第１縁上又は前記第１縁の外側に位置している、ホルダ。
【請求項９】
請求項１から８までのいずれか一項に記載のホルダにおいて、
第１嵌合部をさらに含み、
前記ブリスタパックは、第２嵌合部をさらに含み、
前記第１嵌合部及び前記第２嵌合部は、前記第１検出子が前記第１識別部を検出することを可能にさせる位置に前記ブリスタパックが位置合わせされるように、相互に嵌合可能になっている、ホルダ。
【請求項１０】
請求項１から９までのいずれか一項に記載のホルダにおいて、
前記内容物の前記属性情報は、前記内容物の種類を示す情報、単位期間当たりにどの頻度で前記内容物を摂取するかを示す情報、単位期間当たりにどの量の前記内容物を摂取するかを示す情報及び前記内容物の使用期限を示す情報からなる群から選択される少なくとも一つを含む、ホルダ。
【発明の詳細な説明】
【技術分野】
【０００１】
本発明は、ホルダに関する。
【背景技術】
【０００２】
錠剤、食品又は商品といった内容物を収容するため、ブリスタパックが用いられることがある。特に錠剤を収容するためのブリスタパックとして、ＰＴＰ（Ｐｕｓｈ−Ｔｈｒｏｕｇｈ  Ｐａｃｋ）が用いられることがある。
【０００３】
特許文献１に記載されているように、ＰＴＰをホルダに保持させることがある。ホルダは、ＰＴＰから押し出された錠剤の落下を検知するためのセンサを含んでいる。ホルダは、ベース、２つのボード及びカバーをさらに含んでいる。ＰＴＰ及び２つのボードは、ＰＴＰが２つのボードの間に配置されるようにして、ベースとカバーの間に配置される。カバーをベースから取り外して、ＰＴＰから錠剤を押し出すことができる。押し出された錠剤は、ベースの内部に落下する。
【０００４】
特許文献２には、ＰＴＰの属性情報を示すための二次元コードをＰＴＰに印刷することについて記載されている。ＰＴＰに印刷された二次元コードは、ピンセットに設けられた二次元コードリーダによって読み取られる。
【先行技術文献】
【特許文献】
【０００５】
【特許文献１】特開２００４−１８８１８６号公報
【特許文献２】特開２００８−２８２２７４号公報
【発明の概要】
【発明が解決しようとする課題】
【０００６】
本発明者は、ホルダに保持されたブリスタパックに収容された内容物の属性情報を簡易に識別するための方法を検討した。
【０００７】
本発明の目的の一例は、ブリスタパックに収容された内容物の属性情報を簡易に識別することにある。本発明の他の目的は、以下の実施形態の記載から明らかになるであろう。
【課題を解決するための手段】
【０００８】
本発明の一態様によれば、
ブリスタパックを保持可能なホルダであって、
第１検出子を含み、
前記ブリスタパックは、前記ブリスタパックに収容された内容物の属性情報の少なくとも一部を示すための第１識別部を含み、
前記第１検出子は、前記ホルダへの前記ブリスタパックの装着以後の期間の少なくとも一部において前記第１識別部を検出可能である、ホルダが提供される。
【発明の効果】
【０００９】
本発明の一態様によれば、ブリスタパックに収容された内容物の属性情報を簡易に識別することができる。
【図面の簡単な説明】
【００１０】
【図１】実施形態１に係るホルダの分解斜視図である。
【図２】図１に示したホルダの斜視図である。
【図３】内容物をホルダの外部に出す方法の一例を説明するための図である。
【図４】内容物をホルダの外部に出す方法の一例を説明するための図である。
【図５】内容物をホルダの外部に出す方法の一例を説明するための図である。
【図６】内容物をホルダの外部に出す方法の一例を説明するための図である。
【図７】図２の変形例を示す図である。
【図８】実施形態２に係るホルダの斜視図である。
【図９】図８から第２ボードを取り除いた図である。
【図１０】図９からブリスタパックを取り除いた図である。
【図１１】図９に示したブリスタパックの平面図である。
【図１２】図１１の変形例を示す図である。
【図１３】図８から図１０に示したホルダの第１の変形例を示す図である。
【図１４】図８から図１０に示したホルダの第２の変形例を示す図である。
【図１５】図８から図１０に示したホルダの第３の変形例を示す図である。
【図１６】図８から図１０に示したホルダの第４の変形例を示す図である。
【図１７】図８から図１０に示したホルダの第６の変形例を示す図である。
【図１８】図１の変形例を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
（実施形態１）
図１は、実施形態１に係るホルダ１０の分解斜視図である。図２は、図１に示したホルダ１０の斜視図である。
【００１３】
図１を用いて、ホルダ１０の概要を説明する。ホルダ１０は、ブリスタパック４００を保持可能となっている。ブリスタパック４００は、第１領域４００ａ及び第２領域４００ｂを有している。第１領域４００ａは、第１収容部４１０を有している。第２領域４００ｂは、第１領域４００ａと並んでいる。第２領域４００ｂは、第２収容部４２０を有している。第１収容部４１０及び第２収容部４２０のそれぞれは、内容物を収容するためのものとなっている。ホルダ１０は、ベース１００を含んでいる。ベース１００は、リブ１１０、第１空間１１２及び第２空間１１４を有している。第１空間１１２及び第２空間１１４は、リブ１１０によって互いに仕切られている。ブリスタパック４００は、第１領域４００ａが第１空間１１２と重なり、かつ第２領域４００ｂが第２空間１１４と重なるように、ベース１００に対して配置可能となっている。
【００１４】
上述した構成によれば、ブリスタパック４００をベース１００に対して安定して配置することができる。具体的には、上述した構成においては、第１領域４００ａ（第１収容部４１０）及び第２領域４００ｂ（第２収容部４２０）をそれぞれ第１空間１１２及び第２空間１１４に重ねることができる。したがって、ブリスタパック４００のうちの第１領域４００ａ（第１収容部４１０）と第２領域４００ｂ（第２収容部４２０）の間の部分をベース１００のリブ１１０と重ねることができる。このため、ブリスタパック４００のうちの第１領域４００ａ（第１収容部４１０）と第２領域４００ｂ（第２収容部４２０）の間の部分をリブ１１０によって支持することができる。したがって、ブリスタパック４００をベース１００に対して安定して配置することができる。
【００１５】
さらに、上述した構成によれば、第１空間１１２及び第２空間１１４は、ブリスタパック４００から取り出された内容物を案内するための案内路として機能することができる。具体的には、第１収容部４１０から押し出された内容物及び第２収容部４２０から押し出された内容物は、それぞれ、ベース１００の第１空間１１２及び第２空間１１４に落下することができる。第１空間１１２に落下した内容物は、リブ１１０に沿って第１空間１１２の内部を移動することができ、第２空間１１４に落下した内容物は、リブ１１０に沿って第２空間１１４の内部を移動することができる。
【００１６】
図１を用いて、ホルダ１０の概要をさらに説明する。ホルダ１０は、カバー２００を含んでいる。カバー２００は、第１開口２１２を有している。カバー２００は、ブリスタパック４００がベース１００とカバー２００の間に配置され、かつ第１開口２１２が第１収容部４１０と重なるように、ベース１００に取り付け可能になっている。
【００１７】
上述した構成によれば、ブリスタパック４００からの内容物の取出しを容易にすることができる。具体的には、上述した構成においては、カバー２００の第１開口２１２を第１収容部４１０と重ねることができる。したがって、カバー２００がベース１００に取り付けられたまま、第１収容部４１０から内容物を押し出すことができる。したがって、ブリスタパック４００からの内容物の取出しを容易にすることができる。
【００１８】
図１に示す例では、カバー２００は、第２開口２１４をさらに有している。カバー２００は、ブリスタパック４００がベース１００とカバー２００の間に配置され、かつ第２開口２１４が第２収容部４２０と重なるように、ベース１００に取り付け可能になっている。したがって、カバー２００がベース１００に取り付けられたまま、第２収容部４２０から内容物を押し出すことができる。さらに、カバー２００のうちの第１開口２１２と第２開口２１４の部分が存在することで、カバー２００の強度を補強することができる。
【００１９】
図１及び図２を用いて、ホルダ１０の詳細を説明する。
【００２０】
ホルダ１０は、ブリスタパック４００を保持可能となっている。ブリスタパック４００は、第１収容部４１０及び第２収容部４２０を有している。第１収容部４１０及び第２収容部４２０のそれぞれは、内容物を収容するためのものである。図１及び図２に示す例では、第１収容部４１０及び第２収容部４２０のそれぞれは、一列に並んだ複数の内容物を収容可能になっており、第１収容部４１０及び第２収容部４２０は、隣り合って並んでいる。
【００２１】
図１及び図２に示す例において、ブリスタパック４００はＰＴＰであり、ブリスタパック４００に収容された内容物は錠剤である。他の例において、ブリスタパック４００に収容される内容物は、錠剤以外の物、例えば、食品（例えば、菓子）又は商品であってもよい。
【００２２】
ホルダ１０は、ベース１００、カバー２００、第１ボード３１０及び第２ボード３２０を含んでいる。
【００２３】
ベース１００は、第１領域１０２及び第２領域１０４を有している。第１領域１０２は、リブ１１０、第１空間１１２及び第２空間１１４を有している。ブリスタパック４００の第１収容部４１０から押し出された内容物は、第１空間１１２に落下し、ブリスタパック４００の第２収容部４２０から押し出された内容物は、第２空間１１４に落下する。第２領域１０４は、第１領域１０２のリブ１１０に沿った方向に第１領域１０２と並んでいる。したがって、第１空間１１２内の内容物及び第２空間１１４内の内容物をリブ１１０に沿って第１領域１０２から第２領域１０４に送ることができる。
【００２４】
第１ボード３１０は、第１開口３１２及び第２開口３１４を有している。第１ボード３１０は、第１開口３１２が第１空間１１２と重なり、かつ第２開口３１４が第２空間１１４と重なるように、ベース１００上に配置可能になっている。ブリスタパック４００は、第１収容部４１０が第１開口３１２と重なり、かつ第２収容部４２０が第２開口３１４と重なるように、第１ボード３１０上に配置可能になっている。したがって、第１収容部４１０から押し出された内容物は、第１開口３１２を経由して、第１空間１１２に落下することができ、第２収容部４２０から押し出された内容物は、第２開口３１４を経由して、第２空間１１４に落下することができる。さらに、第１ボード３１０のうちの第１開口３１２と第２開口３１４の間の部分をリブ１１０によって支持することができる。第１ボード３１０をベース１００に対して安定して配置することができる。
【００２５】
第２ボード３２０は、開口３２２を有している。第２ボード３２０は、ブリスタパック４００が第１ボード３１０と第２ボード３２０の間に配置され、かつ開口３２２が第１収容部４１０及び第２収容部４２０と重なるように、第１ボード３１０上に配置可能になっている。したがって、第１収容部４１０及び第２収容部４２０を開口３２２から露出させて、第１収容部４１０の内容物及び第２収容部４２０の内容物をベース１００に向けて押し出すことができる。
【００２６】
各ボードは、ブリスタパックの種類に応じて交換させてもよい。ブリスタパックの収容部の位置は、ブリスタパックの種類に応じて異なることがある。したがって、収容部の位置に応じた適当な開口を有するボードを用いることで、ベース１００及びカバー２００の交換の必要なく、ホルダ１０は、様々な種類のブリスタパックを保持することができる。
【００２７】
カバー２００は、ベース１００に対して開閉可能になっている。したがって、カバー２００は、図１に示すように、第１ボード３１０、第２ボード３２０及びブリスタパック４００がベース１００から取り外し可能になるようにベース１００に対して開くことができ、図２に示すように、第１ボード３１０、第２ボード３２０及びブリスタパック４００がベース１００とカバー２００の間に配置されるようにベース１００に対して閉じることができる。
【００２８】
カバー２００は、第１開口２１２及び第２開口２１４を有している。図２に示すように、カバー２００は、第１開口２１２が第１収容部４１０（図１）と重なり、かつ第２開口２１４が第２収容部４２０（図１）と重なるように、ベース１００に取り付け可能になっている。したがって、カバー２００の第１開口２１２を通じて第１収容部４１０から内容物を押し出すことができ、カバー２００の第２開口２１４を通じて第２収容部４２０から内容物を押し出すことができる。
【００２９】
図３から図６は、内容物Ｐをホルダ１０の外部に出す方法の一例を説明するための図である。図３から図６に示す例において、内容物Ｐは、図１及び図２に示したブリスタパック４００から押し出された内容物である。
【００３０】
図３及び図４を用いて、内容物Ｐをベース１００の第１領域１０２から第２領域１０４に送る方法の一例を説明する。
【００３１】
ベース１００の第２領域１０４は、経路１３０及び開口１３２を有している。開口１３２は、第１領域１０２の第１空間１１２及び第２空間１１４を経由して送られた内容物を第２領域１０４の外側に出すためのものである。開口１３２は、経路１３０を経由して第１領域１０２の第１空間１１２及び第２空間１１４に通じている。
【００３２】
内容物Ｐは、次のようにして、ベース１００の第１領域１０２から第２領域１０４に送られる。まず、図３に示すように、ベース１００を、第２領域１０４の位置が第１領域１０２の位置よりも低くなるように傾ける。これによって、内容物Ｐは、ベース１００の第１領域１０２から第２領域１０４に向けて移動する。次いで、図４に示すように、内容物Ｐは、ベース１００の第２領域１０４の経路１３０に入り込み、図５及び図６を用いて後述するゲート１２６によって止められる。
【００３３】
図５及び図６を用いて、内容物Ｐをベース１００の第２領域１０４の外側へ送る方法の一例を説明する。
【００３４】
ベース１００の第２領域１０４は、調節器１２０を有している。調節器１２０は、移動部材１２２、ゲート１２４及びゲート１２６を有している。移動部材１２２は、経路１３０と交差する方向に移動可能になっており、ゲート１２４及びゲート１２６は、移動部材１２２と一緒になって、経路１３０と交差する方向に移動可能になっている。経路１３０に沿った方向において、ゲート１２４の方がゲート１２６よりも開口１３２から離れている。移動部材１２２は、一の状態（図５）においてゲート１２４が経路１３０を開放してゲート１２６が経路１３０を塞ぎ、かつ他の状態（図６）においてゲート１２４が経路１３０を塞いでゲート１２６がゲート１２６を開放するように、移動可能になっている。
【００３５】
ベース１００の第１領域１０２から送られた複数の内容物は、調節器１２０によって、１つずつ開口１３２に送られる。具体的には、図５に示すように、内容物Ｐは、ゲート１２６によって止められる。次いで、移動部材１２２を移動させると、図６に示すように、ゲート１２６は経路１３０を開放し、ゲート１２４は経路１３０を塞ぐ。したがって、内容物Ｐは、開口１３２に向けて移動することができ、開口１３２を経由してベース１００の外側へ出ることができる。さらに、図６においては、内容物Ｐと異なる内容物が経路１３０に送られても、この内容物は、ゲート１２４によって止められる。したがって、ベース１００の第１領域１０２から送られた複数の内容物を１つずつ開口１３２に送ることができる。
【００３６】
ベース１００は、ゲート１２６を通過した内容物（つまり、ベース１００から出された内容物）を検知するためのセンサを含んでいてもよい。センサの検知結果に基づいて、ブリスタパック４００から内容物が取り出されたか否かを判断することができる。
【００３７】
次に、ホルダ１０の使用方法の一例を説明する。この例において、ブリスタパック４００はＰＴＰであり、ブリスタパック４００に収容された内容物は錠剤である。以下のようにして、ホルダ１０は、錠剤の服用を支援するためのデバイスとして機能することができる。
【００３８】
ホルダ１０は、ブリスタパック４００からの内容物の取出しを検知するためのセンサを含んでいる。センサの検知結果は、ホルダ１０の外部のネットワークを介して、サーバに保存させることができる。このようにして、ブリスタパック４００からの内容物の取出しの履歴（すなわち、錠剤の服用の履歴）を作成することができる。ホルダ１０の外部のシステムは、この履歴を参照して、予め定められたスケジュールに従って錠剤が服用されているか否かを判断することができる。予め定められたスケジュールに従って錠剤が服用されていない場合、ホルダ１０の外部のシステムは、服用者が有する端末（例えば、携帯電話）に錠剤の服用を促す情報を送る。このようにして、錠剤の服用を支援する。
【００３９】
図７は、図２の変形例を示す図である。図７に示すように、カバー２００の第１開口２１２は、ブリスタパック４００の第１収容部４１０及び第２収容部４２０の双方と重なっていてもよい。言い換えると、図７に示す例では、カバー２００の開口が、第１収容部４１０と重なる開口及び第２収容部４２０と重なる開口に分離されていない。図７に示す例においても、ブリスタパック４００をベース１００に対して安定して配置することができ、ブリスタパック４００からの内容物の取出しを容易にすることができる。
【００４０】
（実施形態２）
図８は、実施形態２に係るホルダ１０の斜視図である。図９は、図８から第２ボード３２０を取り除いた図である。図１０は、図９からブリスタパック４００を取り除いた図である。図１１は、図９に示したブリスタパック４００の平面図である。本実施形態に係るホルダ１０は、以下の点を除いて、実施形態１に係るホルダ１０と同様である。
【００４１】
図９を用いて、ホルダ１０の概要を説明する。ホルダ１０は、ブリスタパック４００を保持可能である。ホルダ１０は、第１検出子１４２を含んでいる。ブリスタパック４００は、第１識別部４４２を含んでいる。第１識別部４４２は、ブリスタパック４００に収容された内容物の属性情報の少なくとも一部を示すためのものである。第１検出子１４２は、ホルダ１０へのブリスタパック４００の装着以後の期間（実施形態２において、「装着期間」という。）の少なくとも一部において第１識別部４４２を検出可能である。
【００４２】
上述した構成によれば、ブリスタパック４００に収容された内容物の属性情報を簡易に識別することができる。具体的には、上述した構成においては、第１検出子１４２は、装着期間の少なくとも一部において第１識別部４４２を検出可能である。したがって、第１識別部４４２の検出結果に基づいて、内容物の属性情報を識別することができる。このようにして、ブリスタパック４００に収容された内容物の属性情報を簡易に識別することができる。
【００４３】
一例において、装着期間は、ホルダ１０へブリスタパック４００が装着される時を含んでもよいし、又はホルダ１０へブリスタパック４００が装着された後の期間（例えば、ブリスタパック４００がホルダ１０に保持されている期間）を含んでもよい。
【００４４】
一例において、内容物の属性情報は、内容物の種類を示す情報、単位期間当たりにどの頻度で内容物を摂取するかを示す情報、単位期間当たりにどの量の内容物を摂取するかを示す情報及び内容物の使用期限を示す情報からなる群から選択される少なくとも一つを含んでいてもよい。単位期間当たりにどの頻度で内容物を摂取するかを示す情報は、内容物が薬剤である場合、例えば、内容物が１日当たり２回投与されることを示す情報を含んでもよい。単位期間当たりにどの量の内容物を摂取するかを示す情報は、内容物が薬剤であり、内容物が１日当たり２回投与される場合、例えば、２錠の内容物が各回において投与されることを示す情報を含んでもよい。内容物の使用期限を示す情報は、内容物が薬剤である場合は薬剤の使用期限を示す情報を含んでもよいし、内容物が食物である場合は食物の賞味期限を示す情報を含んでいてもよい。
【００４５】
図１１を用いて、ブリスタパック４００の詳細を説明する。
【００４６】
ブリスタパック４００は、第１縁４０２、第２縁４０４、第３縁４０６及び第４縁４０８を有している。第２縁４０４は、第１縁４０２の反対側にある。第３縁４０６は、第１縁４０２と第２縁４０４の間にある。第４縁４０８は、第３縁４０６の反対側にある。ブリスタパック４００は、第１縁４０２及び第２縁４０４に沿う方向に幅を有し、第３縁４０６及び第４縁４０８に沿う方向に長さを有している。図１１に示す例において、ブリスタパック４００の長さ（第３縁４０６及び第４縁４０８に沿う方向）は、ブリスタパック４００の幅（第１縁４０２及び第２縁４０４に沿う方向）より大きくなっている。
【００４７】
ブリスタパック４００は、収容部４３０を有している。第１縁４０２、第２縁４０４、第３縁４０６及び第４縁４０８は、収容部４３０の外側に位置している。収容部４３０は、第１収容部４１０及び第２収容部４２０を有している。第１収容部４１０及び第２収容部４２０は、ブリスタパック４００の幅に沿う方向（第１縁４０２及び第２縁４０４に沿う方向）に並んでいる。第１収容部４１０及び第２収容部４２０のそれぞれでは、複数の内容物がブリスタパック４００の長さに沿う方向（第３縁４０６及び第４縁４０８に沿う方向）に並んでいる。
【００４８】
ブリスタパック４００は、複数の識別部、すなわち、第１識別部４４２、第２識別部４４４及び第３識別部４４６を含んでいる。各識別部は、内容物の属性情報の少なくとも一部を示すためのものである。内容物の属性情報は、各識別部によって示される情報の組み合わせに応じて異なる情報を呈する。図１１に示す例において、各識別部によって示される情報は、ブリスタパック４００の一部分の欠如（第１縁４０２上の切欠き）の有無である。図１１に示す例では、第１識別部４４２及び第２識別部４４４のそれぞれは、ブリスタパック４００の一部分の欠如を含んでおり、第３識別部４４６は、ブリスタパック４００の一部分の欠如を含んでいない。この例においては、ブリスタパック４００がｎ個の識別部を含む場合、ブリスタパック４００は、当該欠如の有無によって２ｎ通りの属性情報を示すことができる。
【００４９】
図１１に示す例において、第１識別部４４２、第２識別部４４４及び第３識別部４４６は、ブリスタパック４００の第１縁４０２上に位置している。したがって、各識別部を検出するための検出子を内容物と重ねる必要がない。したがって、検出子が内容物の取出しの妨げとならないようにすることができる。
【００５０】
図８から図１０を用いて、ホルダ１０の詳細を説明する。
【００５１】
ホルダ１０は、複数の検出子、すなわち、第１検出子１４２、第２検出子１４４及び第３検出子１４６を含んでいる。複数の検出子は、異なる識別部を検出可能である。図８から図１０に示す例において、第１検出子１４２、第２検出子１４４及び第３検出子１４６は、装着期間の少なくとも一部において第１識別部４４２、第２識別部４４４及び第３識別部４４６をそれぞれ検出可能である。
【００５２】
図８から図１０に示す例において、各検出子（第１検出子１４２、第２検出子１４４及び第３検出子１４６）は、接触センサである。一例において、接触センサは、ＤＩＰ（Ｄｕａｌ  Ｉｎ−ｌｉｎｅ  Ｐａｃｋａｇｅ）スイッチにすることができる。ＤＩＰスイッチは一般に安価であるため、ＤＩＰスイッチを用いることでホルダ１０を安価に製造することができる。第１検出子１４２、第２検出子１４４及び第３検出子１４６は、装着期間の少なくとも一部において第１識別部４４２、第２識別部４４４及び第３識別部４４６とそれぞれ重なる。装着期間の少なくとも一部において、ブリスタパック４００の一部分の欠如を含まない識別部（図８から図１０に示す例では第３識別部４４６）と重なる接触センサ（検出子）は、識別部に接触する一方で、ブリスタパック４００の一部分の欠如を含む識別部（図８から図１０に示す例では、第１識別部４４２及び第２識別部４４４）と重なる接触センサ（検出子）は、識別部に接触しない。このようにして、ホルダ１０は、ブリスタパック４００の内容物の属性情報を識別することができる。
【００５３】
図８から図１０に示す例では、ブリスタパック４００の複数の識別部のうちの少なくとも一つは、ブリスタパック４００の一部分の欠如を含まないようにしてもよい。これは、各検出子が接触センサであるとき、接触センサは、ブリスタパック４００の複数の識別部のうちのすべてが当該欠如を含む場合とブリスタパック４００がホルダ１０に装着されていない場合を識別することができないためである。
【００５４】
ホルダ１０は、第１嵌合部３５０を含んでおり、ブリスタパック４００は、第２嵌合部４５０を含んでいる。第１嵌合部３５０及び第２嵌合部４５０は、第１検出子１４２、第２検出子１４４及び第３検出子１４６が第１識別部４４２、第２識別部４４４及び第３識別部４４６をそれぞれ検出することを可能にさせる位置にブリスタパック４００が位置合わせされるように、相互に嵌合可能になっている。図１０に示す例において、第１嵌合部３５０は、第１ボード３１０に設けられている。図８から図１０に示す例において、第２嵌合部４５０は、凹部（穴）となっており、第１嵌合部３５０は、第２嵌合部４５０に差し込み可能な凸部となっている。他の例において、第１嵌合部３５０は、凹部（穴）となっていてもよく、第２嵌合部４５０は、第１嵌合部３５０に差し込み可能な凸部となっていてもよい。
【００５５】
図１２は、図１１の変形例を示す図である。
【００５６】
図１２に示す例では、第１識別部４４２は、ブリスタパック４００の一部分の欠如を含んでおり、第２識別部４４４及び第３識別部４４６のそれぞれは、ブリスタパック４００の一部分の欠如を含んでいない。したがって、各識別部の当該欠如の有無の組み合わせに応じて、図１２に示すブリスタパック４００と図１１に示すブリスタパック４００を識別することができる。
【００５７】
図１３は、図８から図１０に示したホルダ１０の第１の変形例を示す図である。図１３の上段は、ブリスタパック４００の平面図であり、図１３の下段は、ホルダ１０の側面図である。図１３に示す例は、以下の点を除いて、図８から図１０に示した例と同様である。
【００５８】
各識別部によって示される情報は、ブリスタパック４００の一部分の欠如（ブリスタパック４００を貫通する穴）の有無である。内容物の属性情報は、各識別部によって示される情報（穴の有無）の組み合わせに応じて異なる情報を呈する。図１３に示す例では、第１識別部４４２、第２識別部４４４及び第３識別部４４６のすべてがブリスタパック４００の欠如を含んでいる。各識別部は、第１縁４０２と収容部４３０の間に位置している。したがって、識別部を検出するための検出子が内容物の取出しの妨げとならないようにすることができる。
【００５９】
ホルダ１０の各検出子（第１検出子１４２、第２検出子１４４及び第３検出子１４６）は、照度センサである。第１検出子１４２、第２検出子１４４及び第３検出子１４６は、装着期間の少なくとも一部において第１識別部４４２、第２識別部４４４及び第３識別部４４６とそれぞれ重なる。装着期間の少なくとも一部において、ブリスタパック４００の一部分の欠如を含まない識別部と重なる照度センサ（検出子）は、識別部（欠如）を透過する光を検出しない一方で、ブリスタパック４００の一部分の欠如を含む識別部と重なる照度センサ（検出子）は、識別部（欠如）を透過する光を検出する。このようにして、ホルダ１０は、ブリスタパック４００の内容物の属性情報を識別することができる。
【００６０】
図１４は、図８から図１０に示したホルダ１０の第２の変形例を示す図である。図１４に示す例は、以下の点を除いて、図１３に示した例と同様である。
【００６１】
各識別部によって示される情報は、磁石の有無である。内容物の属性情報は、各識別部によって示される情報（磁石の有無）の組み合わせに応じて異なる情報を呈する。図１４に示す例では、第１識別部４４２、第２識別部４４４及び第３識別部４４６のすべてが磁石を含んでいる。図１４に示す例において、磁石は、ブリスタパック４００のうちの第１ボード３１０に対向する面上に貼られた磁石テープである。各識別部は、第１縁４０２と収容部４３０の間に位置している。したがって、識別部を検出するための検出子が内容物の取出しの妨げとならないようにすることができる。
【００６２】
ホルダ１０の各検出子（第１検出子１４２、第２検出子１４４及び第３検出子１４６）は、磁気センサである。第１検出子１４２、第２検出子１４４及び第３検出子１４６は、装着期間の少なくとも一部において第１識別部４４２、第２識別部４４４及び第３識別部４４６とそれぞれ重なる。装着期間の少なくとも一部において、磁石を含まない識別部と重なる照度センサ（検出子）は、識別部（磁石）を検出しない一方で、磁石を含む識別部と重なる照度センサ（検出子）は、識別部（磁石）を検出する。このようにして、ホルダ１０は、ブリスタパック４００の内容物の属性情報を識別することができる。
【００６３】
図１５は、図８から図１０に示したホルダ１０の第３の変形例を示す図である。図１５に示す例は、以下の点を除いて、図１３に示した例と同様である。
【００６４】
各識別部によって示される情報は、マーカの色である。内容物の属性情報は、各識別部によって示される情報（色）の組み合わせに応じて異なる情報を呈する。図１５に示す例において、各識別部は、色を有するマーカを含んでいる。マーカは、ブリスタパック４００のうちの第１ボード３１０に対向する面上に位置している。各マーカの色は、異なる２色のうちのいずれか、例えば、黒及び白のいずれかにすることができる。ブリスタパック４００がｎ個の識別部を含む場合、各マーカの色が異なるＭ色（Ｍは２以上の整数である。）のうちのいずれかであるとき、ブリスタパック４００は、各識別部の色（例えば、黒又は白）によってＭｎ通りの属性情報を示すことができる。各識別部は、第１縁４０２と収容部４３０の間に位置している。したがって、識別部を検出するための検出子が内容物の取出しの妨げとならないようにすることができる。
【００６５】
ホルダ１０の各検出子（第１検出子１４２、第２検出子１４４及び第３検出子１４６）は、光センサである。第１検出子１４２、第２検出子１４４及び第３検出子１４６は、装着期間の少なくとも一部において第１識別部４４２、第２識別部４４４及び第３識別部４４６とそれぞれ重なる。装着期間の少なくとも一部において、各光センサ（検出子）は、各識別部の色を識別する。このようにして、ホルダ１０は、ブリスタパック４００の内容物の属性情報を識別することができる。
【００６６】
図１６は、図８から図１０に示したホルダ１０の第４の変形例を示す図である。図１６に示す例は、以下の点を除いて、図１３に示した例と同様である。
【００６７】
各識別部によって示される情報は、マーカの色である。内容物の属性情報は、各識別部によって示される情報（色）に応じて異なる情報を呈する。図１６に示す例において、単一の識別部（第１識別部４４２）は、色を有するマーカを含んでいる。マーカの色は、内容物の属性情報に応じて異ならせてもよい。第１識別部４４２は、第１縁４０２の外側に位置している。したがって、識別部を検出するための検出子が内容物の取出しの妨げとならないようにすることができる。
【００６８】
ホルダ１０の第１検出子１４２は、光センサである。第１検出子１４２は、装着期間の少なくとも一部において第１識別部４４２と重なる。装着期間の少なくとも一部において、光センサ（第１検出子１４２）は、第１識別部４４２の色を識別する。このようにして、ホルダ１０は、ブリスタパック４００の内容物の属性情報を識別することができる。
【００６９】
図１７は、図８から図１０に示したホルダ１０の第６の変形例を示す図である。図１７に示す例は、以下の点を除いて、図１３に示した例と同様である。
【００７０】
図１７に示すように、ブリスタパック４００に代えて、第２ボード３２０が識別部を含んでいてもよい。図１７に示す例では、第２ボード３２０は、複数の識別部、すなわち、第１識別部３４２、第２識別部３４４及び第３識別部３４６を含んでいる。第１検出子１４２、第２検出子１４４及び第３検出子１４６は、装着期間の少なくとも一部において第１識別部３４２、第２識別部３４４及び第３識別部３４６をそれぞれ検出可能である。この例においても、ホルダ１０は、ブリスタパック４００の内容物の属性情報を識別することができる。
【００７１】
図１８は、図１の変形例を示す図である。
【００７２】
図１８に示すように、第２領域４００ｂは、収容部（例えば、図１に示した第２収容部４２０）を有していなくてもよい。図１８に示す例において、第２領域４００ｂは、ベース１００の第２空間１１４と重なり得るシート材を有している。図１８に示す例においても、ブリスタパック４００のうちの第１領域４００ａと第２領域４００ｂの間の部分をリブ１１０によって支持することができる。したがって、ブリスタパック４００をベース１００に対して安定して配置することができる。
【００７３】
以上、図面を参照して本発明の実施形態について述べたが、これらは本発明の例示であり、上記以外の様々な構成を採用することもできる。
【符号の説明】
【００７４】
１０  ホルダ
１００  ベース
１０２  第１領域
１０４  第２領域
１１０  リブ
１１２  第１空間
１１４  第２空間
１２０  調節器
１２２  移動部材
１２４  ゲート
１２６  ゲート
１３０  経路
１３２  開口
１４２  第１検出子
１４４  第２検出子
１４６  第３検出子
２００  カバー
２１２  第１開口
２１４  第２開口
３１０  第１ボード
３１２  第１開口
３１４  第２開口
３２０  第２ボード
３２２  開口
３４２  第１識別部
３４４  第２識別部
３４６  第３識別部
３５０  第１嵌合部
４００  ブリスタパック
４００ａ  第１領域
４００ｂ  第２領域
４０２  第１縁
４０４  第２縁
４０６  第３縁
４０８  第４縁
４１０  第１収容部
４２０  第２収容部
４３０  収容部
４４２  第１識別部
４４４  第２識別部
４４６  第３識別部
４５０  第２嵌合部
Ｐ  内容物
【図１】
2020039602.tif 000003
【図２】
2020039602.tif 000004
【図３】
2020039602.tif 000005
【図４】
2020039602.tif 000006
【図５】
2020039602.tif 000007
【図６】
2020039602.tif 000008
【図７】
2020039602.tif 000009
【図８】
2020039602.tif 000010
【図９】
2020039602.tif 000011
【図１０】
2020039602.tif 000012
【図１１】
2020039602.tif 000013
【図１２】
2020039602.tif 000014
【図１３】
2020039602.tif 000015
【図１４】
2020039602.tif 000016
【図１５】
2020039602.tif 000017
【図１６】
2020039602.tif 000018
【図１７】
2020039602.tif 000019
【図１８】
2020039602.tif 000020